【事件の表示】
　平成　２年特許願第１１５５１９号「吸収性物品」拒絶査定に対する審判事件［平成　４年　１月１７日出願公開、特開平　４−　１２７５１］について、次のとおり審決する。
【結　論】
　本件審判の請求は、成り立たない。
【理　由】
　１．本願発明
　本願は、平成２年５月１日の出願であって、本願に係る発明は、平成１３年４月２３日付け及び平成１３年８月３０日付け補正書により補正された明細書および図面の記載からみて、特許請求の範囲の請求項１ないし６に記載された「吸収性物品」にあるものと認められるところ、その請求項１に係る発明（以下「本願発明１」という。）は、次のとおりのものである。
　「　液透過性の表面シートと、液不透過性の裏面シートと、これら両シートの間に配置された吸収体と、該吸収体の幅方向外方に延出された可撓性のサイドフラップと、該サイドフラップの股下領域において長手方向に配設された伸縮弾性部材とを有し、下着、おむつカバー等の着用具と共に着用される吸収性物品において、上記サイドフラップを、上記吸収体の長手方向側縁と上記伸縮弾性部材の内側縁との間において吸収体の内方へ折り返して第１折り返し部を形成し且つ該第１折り返し部と上記伸縮弾性部材の内側縁との間において吸収体の外方へ折り返して第２折り返し部を形成すると共に、第２折り返し部を少なくとも股下領域において第１折り返し部に接合固定し、上記第１折り返し部を、その長手方向前後端の少なくともいずれか一方において表面シート側に接合固定し且つ股下領域において上記表面シートに接合固定しないことを特徴とする吸収性物品。」
　
　２．引用刊行物記載の発明
　これに対して、原査定の拒絶理由に引用した、本願の出願前に国内において頒布された特開昭６１−８９３０２号公報（以下「刊行物１」という。）には、つかいすておむつに関して、図面とともに次の事項が記載されている。
　(1-1)　「［産業上の利用分野］
　本発明は漏れ防止構造を有するつかいすておむつに関する。
［従来技術］
　従来つかいすておむつの漏れ防止機構としては種々のものが提案されてきた。一つは・・・つかいすておむつの長手方向に端縁部に沿って弾性体を用い、あらかじめ端縁部にギャザーを設け、着用者の股下部分をおむつに密着させ、漏れにくくしたものがある。又、一つは・・・つかいすておむつの長手方向に端縁部に沿って吸水収縮繊維を設置し、濡れると収縮し、着用者の股下部分をおむつに密着させ漏れにくくしたものもある。
［発明が解決しようとする問題点］
　しかし、上記のような漏れ防止機構には種々の欠点がある。つまり、前者はゴム等の弾性体の弾性収縮力を利用しており、尿の漏れを防止するには着用者の股下部を強く押さえつける必要があり、着用中股下部への圧迫により、股下部が赤くなったり、傷ついたりすることが多々あり、又、股下部が強く密着しているためムレ易いという欠点を有する。
　又、後者は吸水収縮繊維が尿で濡れるまではおむつの端縁部にギャザーができないため、着用者が排尿する前に便、特に下利便・軟便をした場合に漏れ易いという欠点を有する。
［問題点を解決するための手段］
　本発明者らは上記の従来のつかいすておむつの欠点を解決すべく鋭意研究の結果本発明に到達した。
　即ち、本発明は、液透過性の表面シート、液不透過性の裏面シート及びこれら両シートの間に位置する吸収層からなるつかいすておむつにおいて、水と接触することにより長さが収縮し、かつ伸縮性が付与される吸水収縮繊維が、つかいすておむつの長手方向の中央部を横切り、かつ前記吸収層に重なることなく固定され、その吸水収縮繊維の外側の表面シートと吸収層上の表面シートの一部が、長手方向両側部中間付近２点で接着され、その２つの接着点の間隔が５０ｍｍ以上あり、かつその接着部分の長さが１０〜５０ｍｍであり、更に接着点からおむつの端に向かって５ｍｍ以上離れた位置の長手方向中間部に長手方向に沿って長さ７０ｍｍ以上、弾性力（おむつの伸縮部をおむつの全長の長さに伸ばした時の力）が５０〜６００ｇの弾性伸縮性部材が設置されていることを特徴とするつかいすておむつを提供するものである。」（１頁右下欄１０行〜２頁右上欄２０行）
　(1-2)　「　本発明のつかいすておむつは、液透過性の表面シート１と液不透過性の裏面シート２と吸収層７とからなり、吸収層７の両側に吸収層と重なることなく、水に接触することにより長さが収縮しかつ伸縮性が付与される吸水収縮繊維５が固定されている。又、吸水収縮繊維５の外側の表面シートと吸収層７上の表面シートは長手方向中間付近の２個所で一部が接着されている。この接着部分４を以下レッグスポットと称す。更にレッグスポットの外側に弾性ギャザー３を備える目的で弾性伸縮性部材３′が設置されている。」（２頁左下欄７行〜１８行）
　(1-3)「　ここで重要なことは弾性ギャザー３とレッグスポット４により有効なポケットを作ることであり、このためには弾性伸縮性部材の位置と長さ及びレッグスポットの長さが問題となる。上記有効なポケットを形成するにはレッグスポット４と弾性伸縮性部材３´との間隔（ａ）が５ｍｍ以上必要であり、５ｍｍ未満ではレッグスポットの抵抗により、レッグスポット付近に有効なギャザーが形成しにくく、又、形成したポケットが浅く小さいために便漏れしやすくなる。
」（２頁右下欄６行〜１６行）　
　同じく、上記拒絶理由に引用した実願昭５５−８８１３６号（実開昭５７−１３６０８号）のマイクロフィルム（以下「刊行物２」という。）には、紙おむつに関して図面とともに次の事項が記載されている。
　(2-1)　「　本考案は紙おむつ、特にボックスプリーツ状となした紙おむつに関する。
　この種のボックスプリーツ状の紙おむつを得るためには、折返し部分を固定する必要がある。ところが、従来の紙おむつは、特開昭５３−５９５５７号記載、および第１図に示すように、本体１００の上面と折返し部１０１の下面とをホットメルト系接着剤１０２により接着しているものであった。これがために、第２図に示すように、着用時に両側を拡げた場合、接着剤１０２が着用者の肌に直接触れることがあり、その結果着用者に不快感を与えたり、また気触れの原因となり、好ましいものではない。
　本考案は前記従来の難点を解消したもので、その目的は折返し部の固定個所に工夫を施すことによって、着用性に優れた紙おむつを提供することにある。
　以下本考案を第３図以下に示す実施例によって説明すると、１は透水性シートで、たとえば不織布等で形成されている。２はプラスチックフィルム等からなる不透水性シートであり、この不透水性シート２と透水性シート１との間には、これらより巾が狭い下部吸収材３、およびそれぞれよりも巾狭の上部吸収材４が重ね合せた状態で内包されている。またこれら吸収材３，４はフラッシュパルプ等からなる。５は下部吸収材３の側縁に近接し、かつその側縁の外方位置に配されたゴムバンド等からなる弾性伸縮体で、紙おむつの長手方向の中間部分、すなわち着用者の脚周り個所を中心として設けられている。この弾性伸縮体５は、シート１，２間に介在され、これらに接着等の手段により固着されている。６は止着テープである。
　一方、この紙おむつは、その両側が一旦内側に折返され本体Ａに対して第一折返し部Ｂが形成され、さらに外側に折返えされ第二折返し部Ｃが形成されている。本考案においては、第一折返し部Ｂの上面である不透水性シート２と、第二折返し部Ｃの下面である不透水性シート２とを接着剤７によりそれぞれ相互に固着しておく。この固着個所は、第一折返し部Ｂから第二折返し部Ｃへの折返し縁より外方であって、紙おむつの長手方向中央部とするのが後述する使用態様の場合には好ましい。」（１頁１７行〜３頁１９行）
　(2-2)「かかる紙おむつにおいて、使用に際しては、長手方向両端を５図のように平面的に拡げるとともに、中間部を両外方に向かって拡げる。そして中間部においては、第一折返し部Ｂが本体Ａから離れて側外方へ拡開され、紙おむつの横幅が広がるが、中間部において固着されているため、第一および第二折返し部Ｂ、Ｃ相互は離れず、それ以上の横巾には展開されない。そこでこの状態で乳児等へ装着させる。着用時には、第二折返し部Ｃの上面が主として脚周りに触れる。そして着用状況によって股間部の肌に本体Ａの巾方向中央部および折返し縁個所が触れるが、この接触個所には接着剤が施されていないため肌の気触れの心配はないし、かつ異物感を与えることもない。」（３頁２０行〜４頁１３行）
　(2-3)「本考案によれば、横漏れ防止および吸収効果を高めるためにボックスプリーツ状とする際に、内側折返し上面と外側折返し下面とを固着したので、着用者の気触れを防止でき、しかも不快感を与えることもない。」（５頁１９行〜６頁３行）
　　
　３．対比・判断
　そこで、本願発明１と、刊行物１に記載された発明（以下、「引用発明」という。）とを対比すると、引用発明における「つかいすておむつ」は本願発明１における「下着、おむつカバー等の着用具と共に着用される吸収性物品」に相当し、引用発明における「端縁部」、「弾性伸縮性部材」は本願発明１における「サイドフラップ」、「伸縮弾性部材」に相当するから、両者は、
　「　液透過性の表面シートと、液不透過性の裏面シートと、これら両シートの間に配置された吸収体と、該吸収体の幅方向外方に延出された可撓性のサイドフラップと、該サイドフラップの股下領域において長手方向に配設された伸縮弾性部材とを有し、下着、おむつカバー等の着用具と共に着用される吸収性物品において、上記サイドフラップを、上記吸収体の長手方向側縁と上記伸縮弾性部材の内側縁との間において吸収体の内方へ折り返して第１折り返し部を形成し且つ該第１折り返し部と上記伸縮弾性部材の内側縁との間において吸収体の外方へ折り返して第２折り返し部を形成すると共に、折返し部を少なくとも股下領域において接合固定してなる吸収性物品」
である点において一致し、次の点において相違する。
　［相違点］
　（ア）股下領域において、本願発明１では、第２折り返し部を第１折り返し部に接合固定し、第１折り返し部を、表面シートに接合固定しないのに対して、引用発明では、第１折り返し部を吸収層上の表面シートに接合固定した点。
　（イ）本願発明１では、第１折り返し部を、その長手方向前後端の少なくともいずれか一方において表面シート側に接合固定したのに対して、引用発明においてはそのようになっているのか否か明らかでない点。
　次に、これらの相違点について検討する。
　［相違点（ア）について］
　刊行物２には、第１折り返し部と第２折り返し部を有する紙おむつの股下領域の折返し部をボックスプリーツ状に固定した構造として、第１折り返し部を吸収層上の表面シートに接合固定した構造と、第２折り返し部を第１折り返し部に接合固定し、第１折り返し部を表面シートに接合固定しない構造が記載されている。
　刊行物２記載のものは、折り返し部まで吸収体のあるものであるが、刊行物２の記載は、股下領域の折返し部をボックスプリーツ状に固定した構造としては、第１折り返し部を吸収層上の表面シートに接合固定した構造と、第２折り返し部を第１折り返し部に接合固定し、第１折り返し部を表面シートに接合固定しない構造があることを開示しているものと認められる。
　ところで、引用発明におけるつかいすておむつは、サイドフラップ（端縁部）を有するおむつの股下領域において、第１折り返し部を吸収層上の表面シートに接合固定したものであるが、第１折り返し部と第２折り返し部があるから、サイドフラップを有するおむつの股下領域の折返し部をボックスプリーツ状に固定した構造として、第１折り返し部を吸収層上の表面シートに接合固定した構造があることを開示しているとみることができる。
　してみると、刊行物２に、股下領域の折返し部をボックスプリーツ状に固定した構造として記載されている、第１折り返し部を吸収層上の表面シートに接合固定した構造は、折り返し部まで吸収体のあるおむつであれ、サイドフラップを有するおむつであれ、何れにも適用できるのであるから、刊行物２に並列して記載されている、第２折り返し部を第１折り返し部に接合固定し、第１折り返し部を表面シートに接合固定しない構造も、折り返し部まで吸収体のあるおむつであれ、サイドフラップを有するおむつであれ、何れにも適用できると推測するのに格別の困難性は認められない。
　すなわち、サイドフラップを有するおむつの股下領域の折返し部をボックスプリーツ状に固定した構造としては、第１折り返し部を吸収層上の表面シートに接合固定した構造と、第２折り返し部を第１折り返し部に接合固定し、第１折り返し部を表面シートに接合固定しない構造の何れをも選択できるものと認められる。
　そして、サイドフラップを有するおむつにおいて、股下領域の折返し部をボックスプリーツ状に固定した構造として、第２折り返し部を第１折り返し部に接合固定し、第１折り返し部を表面シートに接合固定しない構造を採用するに当たり、格別の不都合があるものとも認められない。
　したがって、サイドフラップを有するおむつにおいて、上記二つの接合固定構造の何れを選択するかは当業者の設計的事項といえる。
　［相違点（イ）について］
　吸収性物品において、吸収体の内方に張り出しているフラップの張り出し部を、その長手方向前後端において表面シート側に接合固定することは、本願の出願前に周知の事項である（必要ならば、特開昭６４−６８５０３号公報、特開昭６２−２５０２０１号公報を参照されたい。）から、相違点（イ）における本願発明１の構成とすることは、当業者が容易に想到できたことである。
　
　そして、本願発明１が、引用発明、刊行物２に記載された発明及び上記周知の事項から予測できない格別顕著な効果を奏するものとも認められない。
　
　４．むすび
　したがって、本願発明１は、引用発明、刊行物２に記載された発明及び上記周知の事項に基づいて当業者が容易に発明をすることができたものであるから、本願発明１については、特許法第２９条第２項の規定により特許を受けることができない。
　以上のとおりであるから、本願は、他の請求項に係る発明について検討するまでもなく、拒絶されるべきものである。
　よって、結論のとおり審決する。